(57)【要約】【課題】長時間釣りをした場合の手首や肩に掛かる負担を軽減するとともに、掛かった魚の強いひきに対しても、安定して釣り竿を保持することができる釣り竿用保持具を提供する。【解決手段】保持具基部１、グリップ２と、連結板３と、前記連結板３の後端に取り付けられた肘当て４Ａと、リールを取り付けるためのリールシート８とを具備し、前記グリップ２を、前記保持具基部１を側面から見た時に水平方向に対して前記保持具基部１の後部の下方に傾斜して形成し、且つ前記保持具基部１を上面から見た時に水平方向に対して前記保持具基部１の後部の左方に傾斜して形成する。【選択図】図１５
2010041974.tif 000002
【特許請求の範囲】
【請求項１】
保持具基部と、グリップと、連結板と、前記連結板の後端に取り付けられた肘当てと、リールを取り付けるためのリールシートとを具備する釣り竿用保持具において、前記グリップは、前記保持具基部を側面から見た時に水平方向に対して前記保持具基部の後部の下方に傾斜して形成され、且つ前記保持具基部を上面から見た時に水平方向に対して前記保持具基部の後部の左方に傾斜して形成されることを特徴とする釣り竿用保持具。    
【請求項２】
前記肘当ては、凹面状に形成されることを特徴とする請求項１に記載の釣り竿用保持具。
【請求項３】
前記連結板は回転軸を具備し、前記肘当ての角度を調整することが可能な機構を備えることを特徴とする請求項１乃至請求項２のいずれか１項に記載の釣り竿用保持具。
【請求項４】
前記肘当ては、前記連結板とビスで螺合、着脱されて別の肘当てに交換することが可能な機構を備えることを特徴とする請求項１乃至請求項３のいずれか１項に記載の釣り竿用保持具。
【請求項５】
前記肘当ては、上面から見た時に前記連結板に螺合される側の幅が狭く後端に向かうに従って広くなるように形成され、且つ凹部の深さが前記連結板に螺合される側が浅く後端に向かうに従って深く形成されることを特徴とする請求項２乃至請求項４のいずれか１項に記載の釣り竿用保持具。
【請求項６】
前記グリップは、前記保持具基部を上面から見た時に水平方向に対して前記保持具基部の後部の右方に傾斜して形成されることを特徴とする請求項１乃至請求項５のいずれか１項に記載の釣り竿用保持具。
【請求項７】
前記連結板の材質がマグネシウム、アルミニウム、チタン及びジュラルミンの少なくとも１つの材質で作られたことを特徴とする請求項１乃至請求項６のいずれか１項に記載の釣り竿用保持具。
【請求項８】
前記肘当ての材質が発砲ウレタンまたはエラストマーの材質で作られたことを特徴とする請求項１乃至請求項７のいずれか１項に記載の釣り竿用保持具。
【請求項９】
前記保持具基部は、取り付けられる竿本体の形状に対応して竿本体を交換することが可能な機構を備える請求項１乃至請求項８のいずれか１項に記載の釣り竿用保持具。
【請求項１０】
前記肘当てと前記保持具基部とが一体で形成されることを特徴とした請求項１乃至請求項９のいずれか１項に記載の釣り竿用保持具。
【請求項１１】
前記保持具基部は、垂直方向に回転軸を備え、握り部と垂直方向で螺合して回動することが可能な機構を備えることを特徴とする請求項１乃至請求項１０のいずれか１項に記載の釣り竿用保持具。
【発明の詳細な説明】
【技術分野】
【０００１】
本発明は、主に海、川、湖における釣りに使用する釣り竿用保持具に関する。
【背景技術】
【０００２】
従来の釣り竿の多くは、図１４に示すよう、竿本体の後方にグリップ部が設けられ、その断面形状は丸形状である。そして、竿尻より竿先に向かって３０ｃｍ〜４０ｃｍ程の位置にリールを取り付けるためのリールシートが設けられ、リールシートが設けられている位置を中心として竿を握るような形態となっている。また、中には黒鯛釣り用竿では竿尻部に肘当てを備える物もある（特許文献１、特許文献２、特許文献３及び特許文献４）。
【特許文献１】特開２００７−２４４３５２号公報
【特許文献２】特開２００６−１４９２８３号公報
【特許文献３】特開２０００−１３９２８１号公報
【特許文献４】登録実用新案公報第３０５６３１６号公報
【発明の開示】
【発明が解決しようとする課題】
【０００３】
従来の釣り竿は、竿尻より竿先に向かい３０ｃｍ〜４０ｃｍ程の位置にリールを取り付けるためのリールシートが設けられ、そこにリールを取り付け、リールシートを中心として竿を握り、竿及びリールを操作するものであった。従って、竿を握った時の手首は、図７に示すように不自然になり、手首を捻りながら竿を握ることになる。また、魚を掛けた時には図８に示すよう引きを凌ぐため竿を横に寝かせながらの竿操作が要求されることがあるが、このとき竿尻は腕から離れ、手首のみで竿を支えることとなる。その結果、手首や腕に大きな負担が掛かり長時間釣りを行う場合、釣りを行う者は、手首の関節の痛みや腕の疲労を生じることになる。また、竿を痛めないために、釣り糸は竿先の延長線上に延びるのが理想であるが、従来の釣り竿では、図１１に示すよう体の中心より左側に竿が位置することになるため、リール操作をする右手は竿側まで持って来る必要がある。このため、釣りを行う者は右手、右肩に疲労を生じる。また、図１２に示すよう竿を体の中心に持って来ると、竿先に対して糸は角度を持ってしまうため、時には竿先を傷めてしまう問題もある。さらに、従来の釣り竿用の肘当ては金属、あるいはプラスッチック等の固い素材で造られており、肘付近に当たる面積が小さいため、使用する者に痛みを生じさせるといった問題もある。
【０００４】
本発明の目的は、前記の欠点を解決するため、釣り竿を持つ者の手首や腕に掛かる負担を軽減し、長時間釣り竿を握っても疲労を伴わず、竿の操作性も向上する釣り竿用保持具を提供するものである。
【課題を解決するための手段】
【０００５】
一実施形態に係る本発明の釣り竿用保持具は、保持具基部１と、グリップ２と、連結板３と、前記連結板３の後端に取り付けられた肘当て４Ａと、リールを取り付けるためのリールシート８とを具備する釣り竿用保持具において、前記グリップ２が前記保持具基部１を側面から見た時に水平方向に対して前記保持具基部１の後部の下方に傾斜して形成され、且つ前記保持具基部１を上面から見た時に水平方向に対して前記保持具基部１の後部の左方に傾斜して形成されることを特徴としている。
【０００６】
また、前記肘当て４Ａは、凹面状に形成されるようにしてもよい。前記連結板３は回転軸を具備して前記肘当て４Ａの角度が調整可能な構造としてもよい。前記肘当て４Ａは、前記連結板３とビスで螺合されて釣る対象となる魚または釣り方に応じて交換可能な機構を備えてもよい。前記肘当て４Ａは、上面から見た時に前記連結板３に螺合される側の幅が狭く後端に向かうに従って広くなるように形成され、且つ側面から見た時に凹部の深さが前記連結板３に螺合される側が短く後端に向かうに従って深く形成されるようにしてもよい。前記グリップ２は、前記保持具基部１を上面から見た時に水平方向に対して前記保持具基部１の後部の右方に傾斜して形成されるようにしてもよい。前記連結板３の材質はマグネシウム、アルミニウム、ジュラルミン等軽量且つ高強度の板材を材質としてもよい。前記肘当て４Ａの材質は発砲ウレタンまたはエラストマーの材質で作られてもよい。前記保持具基部１は、取り付ける竿本体７の形状に対応して交換可能な機構を備えるようにしてもよい。前記肘当て４Ａと前記保持具基部１とが一体で形成されるようにしてもよい。前記保持具基部１は垂直方向に回転軸を備え、握り部１０と垂直方向で螺合して回動することが可能な機構を備えることによって、握り部１０の角度を調整する可能となり釣り人が右利き、左利きどちらにも対応出来るようにしてもよい。
【０００７】
また、前記肘当て４Ａの長さは、１８ｃｍ〜２０ｃｍの範囲にしてもよい。連結板３の厚さは、６ｍｍ〜８ｍｍとすることが望ましい。前記保持具基部１、前記連結板３及び前記グリップ２を組み上げる構成の場合、組み上げた時の形状は、縦長の楕円に近い形状とし、全体の長さは、３０ｍｍ〜３６ｍｍ程度とすることが望ましい。また、リールを取り付けるリールシートは保持具基部１の前方向下部に取り付けることが望ましい。
【発明の効果】
【０００８】
本発明の一実施形態に係る本発明の釣り竿用保持具によれば、釣り竿を持つ者の手首や腕に掛かる負担を軽減し、長時間釣り竿を握っても疲労を伴わず、竿の操作性も向上する釣り竿を提供することができる。具体的には、以下に示すとおりである。
【０００９】
竿本体７は自然に釣り竿を持つ者の体の中心付近に位置するようになることから、リール操作が楽になるという効果がある。
【００１０】
また、連結板３の後端に取り付けられる凹面状に形成された肘当て４Ａを設けることにより、魚が掛かり釣り上げる最中に竿を寝かせたりする時でも、釣り竿を使用する者の肘がしっかりと肘当てＡ４に押し当てられることから、釣り竿を使用する者は安定した状態で釣り竿を操作することができる。
【００１１】
また、肘当て４Ａの角度が調整できる機構を設けることにより、釣り竿を使用する者にとって、その手首の関節の曲り具合に対して、肘当て４Ａを最適な角度に調整することができる。
【００１２】
また、釣りの対象となる魚、釣り方に応じた最良の形態の釣り竿を使用することができる。
【００１３】
また、肘当て４Ａに凹部を設けて、連結板３に螺合される側の幅が狭く後端に向かうに従って広くなるように形成され、且つ肘当て４Ａの凹部の深さが前記連結板に螺合される側が浅く後端に向かうに従って深く形成されることにより、肘側ではしっかりと肘と肘当て４Ａとが密着し、手首側はいわゆる「逃げ」を設けることができ、竿を使用する者の手、手首及び腕の形状、手首の曲がり具合、並びに握るときの癖に対応することができる。    
【００１４】
また、前記保持具基部１の垂直方向に回転軸を設け、握り部１０と垂直方向で螺合して回動することが可能な機構を備えることによって、右利きの使用者でも、左利きの使用者であっても使用することができ、よりパーソナルユース性の高い釣り竿用保持具を提供することができる。
【００１５】
また、連結板３をマグネシウム、アルミニウム、ジュラルミン等の素材を使用することによって、軽量且つ高強度の釣り竿用保持具を提供することができる。    
【００１６】
また、肘当て４Ａの素材を発泡ウレタン、エラストマー等で成形することによって、ほどよい柔らかさで使用者の肘に当たるため、軽量で、且つ使用者が痛みや違和感を感じないという効果がある。              
【００１７】
また、釣る対象となる魚、あるいは釣り方により竿本体７を交換可能にする構造を保持基部１に設けることによって、１つの保持具を購入することで竿本体７を必要に応じて買いそろえることによりキス釣りから黒鯛、真鯛、カンパチ等あらゆる釣りが可能となる。
【発明を実施するための最良の形態】
【００１８】
以下に実施例を示すことで本発明の詳細を説明するが、保持具の各部を構成する材料は、各種の材料を使用することができ、構成も設計変更ができる。本発明は多くの異なる態様で実施することが可能であり、以下に示す実施例の記載内容に限定して解釈されるものではない。
【００１９】
図１は、本発明釣り竿用保持具の側面図である。竿本体７を除く部材は保持具基部１、グリップ２、連結板３、肘当て４Ａ、グリップ止めネジ５、及び肘当て止めネジ６から構成される。保持具基部１は、竿本体７を差し込む溝が設けられ、前端部の形状が略円形になっており、差し込み溝に弾性力のある凹凸面をもったゴムやウレタンフォームを付着させるなど異なる形状の竿本体を差し込んでも勘合する機構となっている。また、保持具基部１に設けられた竿本体７を差し込む溝は、竿本体側の前端部からグリップ２側になるに従い溝穴が狭くなるようにしても良い。また、保持具基部１の外周にナット穴を設け外周からナットで竿本体７を締め付けるようにしてもよい。保持具基部１の全体の形状は、後端に向かうに従ってその断面形状は縦長の楕円、もしくはそれに近い形状に滑らかに変化してゆくように形成される。これは、リールシートを保持具基部１に取り付けるスペースを確保するためと、強度を増すための理由によるものである。図１６に示すように、保持具基部１は、その水平方向の中心線より後方下方に０°以上４５°以下の範囲で傾斜がつけられ、その傾斜が付けられた部位にグリップ２及び連結板３が取り付けられる。グリップ２は、連結板３を保持具基部１との間に挟み込むようにして２本のグリップ止めネジ５を介してしっかりと保持具基部１の傾斜がつけられた部位に螺合される。保持具基部１に固定された連結板３の後端には、肘当て４Ａを取り付けるための取り付け穴が設けられ、請求項３に示すように、釣り竿を使用する人にとって最良の角度で肘が当たるよう、肘当４Ａが上下に動くように角度調整機構が施されている。角度調整は、角度を数段階に設定できるようするために、板バネを使用したり、スプリング状の押しバネを肘当て４Ａに内蔵し、その先端にボールベアリングを設置し、連結板３側に半球状のへこみを設け、肘当て４Ａが移動する毎に前述のベアリングがへこみ部に落ち込みクリック感を出す等、様々な方法が考えられるが、その方法を問うものではない。
【００２０】
図２は、本発の一実施形態に係る釣り竿用保持具の正面図であるが、肘当て４Ａは竿本体７の中心の延長線上ではなく、ある角度をもって取り付けられるようになっている。
【００２１】
図３は、本発の一実施形態に係る釣り竿用保持具の背面図である。
【００２２】
図４は、本発の一実施形態に係る釣り竿用保持具の上面図であるが、竿本体７に対して後方左方に竿本体７の水平方向を基準として０°以上３０°以下の範囲で傾斜している。これは、図８に示すように魚とのやりとりの際に魚の逃げる方向と逆方向に竿を寝かせて対処することがあるが、従来の竿の断面形状が円のために厳密には円の頂点一箇所しか肘付近に接していないため、竿尻が外れることがしばしばある。すると手首のみで竿を支え、竿を操作することとなり、竿納する頃には、手首や肩に痛みや疲労を覚える。さらに図１０に示すように手のひらで握る部分及び肘当て４Ａを、竿の水平方向の中心線に対して角度をつけることによって、従来の竿のように手首を不自然な形で握ることもなく、手首を真直ぐ伸ばした状態で、手のひらで握る部分と肘当て４Ａの２箇所で支えられ、常に安定した竿操作が出来る。
【００２３】
図５は、本発の一実施形態に係る釣り竿用保持具の左側面図である。図５中のｄの部位は、図１０に示すような自然なかたちで左手の親指が添えられる形状になっており竿の方向を安定させる役割を担う。
【００２４】
図６は、本発の一実施形態に係る釣り竿用保持具の底面図である。
【００２５】
図７は、従来の釣り竿を握った時の状態を示す側面図であるが、市場に出ているほとんどの竿は、竿の延長線上に手のひらで握る部分があり、使用者は竿を安定して持つために竿尻を肘付近に当てながら竿を操作する必要がある。そのため、図７に示すように手首を不自然な形で捻曲げながら竿を操作することとなり、結果として使用者の手首や肩等に疲労を生じることがある。
【００２６】
図８は、魚の引きをいなすために、使用者が竿を寝かせるように竿を握っている図である。図８に示すよう、竿を支えるための竿尻が使用者の肘付近からはずれてしまい、使用者の手首の関節のみで竿を支えることになり、手首へ掛かる負担が大きくなってしまう。
【００２７】
図９は、前述の課題を解決するために本発明者が考案した本発明の一実施形態に係る釣り竿用保持具を握った時の状態を示す図である。竿本体７の水平方向の中心線を基準として傾斜角αは後方下方に０°〜４５°の範囲であるのが好適であるが、手首を捻ることなく握るための傾斜角αは好ましくは２８°〜３５°である。
【００２８】
図１０は、本発明の一実施形態に係る釣り竿用保持具を握った時の状態を上面から示した図である。図１０に示すように竿本体７の水平方向の中心線を基準として後方左方に傾斜を付け、更に肘当て４Ａを取り付けることにより、使用者は手首を捻ることなく握ることができる。この傾斜角βは０°〜３０°の範囲で設定することが好適であるが、好ましくは１５°〜２３°である。
【００２９】
図１１乃至図１２は、従来の竿を使用したときの竿と糸と竿を握る手とリールを持つ手の位置関係を示した図であり、図１３は、本発明の一実施形態に係る釣り竿用保持具を使用したときの竿と糸と釣り竿用保持具を握る手とリールを持つ手の位置関係を示した図である。従来の釣り竿の場合は、使用者の体に対して正面に糸を伸ばそうとすると、竿を持つ手とリールを巻く手との距離が広くなってしまい、使用者はリールを巻く側の腕を竿側に持ってこなくてはならない。図１１に示すような姿勢で長時間の釣りを行った場合、使用者の右肩への負担が大きく、疲労を生じることになる。次に、図１２に示すよう竿先を使用者の体の中心付近に持ってくるとリールを巻く側の肩は楽になるが、糸は竿先のガイドから鈍角で折れ曲がり、竿先のガイドのみでテンションを受けるため、竿先を折ったり、傷めたりすることとなってしまう。道糸は竿の下、或いは上に設けられたガイドを通って、その延長線上に延びていることが竿を傷めることもなく好ましい。そこで、図１３に示すよう、本発明の一実施形態に係る釣り竿用保持具を竿とは別に作成して、グリップ２及び肘当て４Ａを竿本体７に対して傾斜させることにより竿本体７は体の中心付近に位置することとなりリールを巻く側の肩にも負担が掛からず、且つ糸は曲がること無く竿の延長線上に延びることになり、釣りを行う者にとって理想的な釣り竿を保持する姿勢がとれることになる。
【００３０】
図１５は、本発明の一実施形態に係る釣り竿用保持具の組み立て斜視図である。請求項５に記載した肘当て４Ａの形状は、連結板３の後端に取り付けられる側の幅を狭くし、凹部を浅くし、後端に向かうに従って幅が広く、凹部が深くなる形状となっている。これは使用者の肘が当たる側の凹部を深く、幅を広くすることによって、しっかりと肘付近が肘当て４Ａに密着し、逆に手首付近は凹部を浅く、幅を狭くすることによる手首の「逃げ」を得るためである。同時に中央部付近をくり抜くことで、軽量化を図っている。
【００３１】
図１６は、本発明の一実施形態に係る釣り竿用保持具の部品構成を表わす分解斜視図である。保持具基部１はＡＢＳ樹脂や握り心地のよい発泡ウレタン、エラストマー、ポリカーボネイト等で成形する。耐久性の高いポリカーボネイトが好適であるが、その素材を問うものではない。グリップ２も上記同様の素材で成形する。連結板３は強度が要求されるため、マグネシウム、アルミニウム、ジュラルミン、チタン等軽量の素材の７ミリ前後の平板を採用するが、現存する金属の中で最も比重が軽く、且つ強度が高いマグネシウムを使用するのが好適である。肘当て４Ａ及び肘当て４Ｂはその素材を肘や手首に当たっても痛くない発泡ウレタンやエラストマー等で成形することが望ましい。グリップ２は連結板３を挟み込むようにしてグリップ止めネジ５を介して保持具基部１にしっかりと固定され、肘当て４Ａも連結板３の後端に肘当て止めネジ６で固定される。
【００３２】
図１７は、肘当て４Ｂを取り付けた図である。釣る対象となる魚または釣り方に応じて最適な条件を満たすために、請求項４に記載したように肘当て４Ａは、連結板３にネジで螺合、着脱される機構が設けられているために、別の肘当て４Ｂに交換が可能であり、図１７は、肘当て４Ｂに交換された後の状態を示す図である。特に黒鯛のヘチ釣りのように堤防のヘチを探り、竿先を真下に向けるような釣り方の場合は肘当て４Ｂのように短い物の方が竿は扱い易い。
【００３３】
図１８は、本発明釣り竿用保持具を使う場合、人によって手首の曲がり具合に個人差があり、使用者にとって最適な角度で肘当て４Ａが肘に密着するよう、数段階の角度調整が可能であることを示した図である。このように角度を調整することができることによって、「自分だけの」パーソナルユースの釣り竿用保持具を提供することができる。角度調整は、角度を数段階に設定できるようするために、板バネを使用したり、スプリング状の押しバネを肘当て４Ａに内蔵し、その先端にボールベアリングを設置し、連結板３側に半球状のへこみを設け、肘当て４Ａが移動する毎に前述のベアリングがへこみ部に落ち込みクリック感を出す等、様々な方法が考えられるが、その方法を問うものではない。
【００３４】
図１９は、保持基部１、グリップ２、連結板３及び肘当て４Ａを全て一体で形成した場合の状態を表わした図であり、肘当て部も角度調整機構のない固定タイプである。素材としては前述のポリカーボネイトで成形し、塗装処理することが望ましい。
【００３５】
図２０は、前記同様、短竿での黒鯛用へチ釣り専用の肘当て部の小さいタイプを一体で成形したもので、材質、処理等も前記と同様とすることが望ましい。
【００３６】
図２１は、肘当て４Ａを除く保持具基部１、グリップ２及び連結板３を一体で成形したものを表わす上面図であり、その素材は例えばＡＢＳ樹脂、エラストマー、発泡ウレタン等さまざま考えられるが、耐久性の面から考えると前記のポリカーボネイトが好適であるが、特にその素材を問うものではない。図２２は図２１の側面図であり、使用者にとって最良の角度となるよう肘当て４Ａの角度調整ができる機構が設けられている。
【００３７】
図２３は、請求項１１に記載したように、保持具基部１の垂直方向に回転軸を設け、握り部１０と垂直方向で螺合して回動することが可能な機構が設けられていることを示した上面図である。図２４は、図２３の側面図である。竿装着部９には取り付けネジ１１を介して握り部１０及びその後端に取り付けられた肘当て４Ａから構成される。右利き、左利きを問わず、取り付けネジ１１により使用者にとって最良の角度での調整が可能となる。取り付けネジ１１で締め付けたり、ゆるめたりすることによって、肘当て４Ａの上下の角度を調整することができ、また、肘当て止めネジ６で締め付けたり、ゆるめたりすることによって、肘当て４Ａの左右の角度を調整することができる。使用者はしっかりと釣り竿を支えることが可能となり、その結果、長時間釣りをしても疲労を軽減でき、よりパーソナルユース性の高い釣り竿用保持具を提供することができる。
【００３８】
図２６は、本発明釣り竿用保持具の側面寸法を表わした図である。以下図２６に従って詳しく説明する。Ｌ４は、竿本体７をしっかりと差し込み安定させるため、１６０ｍｍ程に設定することが望ましい。そして保持具基部１の後端に連結板３を挟み込むかたちで取り付けられるグリップ２の寸法Ｌ５は、大人の手を基準に検証すると１１５ｍｍ〜１２０ｍｍに設定するのが好適である。その結果Ｌ６の寸法は２６５ｍｍ〜２７０ｍｍとなる。竿本体７の水平方向の中心線を基準としたグリップ２の傾斜角αは、図２６では実際に２８°で描かれているが、２８°〜３５°の範囲で設定することが望ましい。握った時に手首を不自然なかたちに捻らないために点ｂの位置を設定することは極めて重要な問題である。そのため、本発明者は幾度となく試作を作り検証した結果、Ｌ７の寸法を３００ｍｍ〜３１０ｍｍの間とし、Ｌ８の寸法を２８ｍｍ〜３０ｍｍと設定し、肘当て４Ａの取り付け角度θを１１°とすることで手首を捻ることなく肘当て４Ａが肘付近に密着することを解明した。上記の寸法を集約すると、全長の寸法Ｌ１は４８０ｍｍ程が適切な寸法となる。点ａの位置は、Ｌ４の範囲内で、且つ竿本体７の水平方向の中心線上であれば特定の位置にこだわるものではない。
【００３９】
図２７は、図２６に対応する本発明の一実施形態に係る釣り竿用保持具の上面寸法図である。竿本体７の水平方向の中心線の点ｃを支点として後方左方に傾斜βを１５°〜２３°の範囲と設定すると、Ｌ９の寸法は１３０ｍｍ〜１７５ｍｍ程となる。点ｃの位置は前記Ｌ４の範囲内で竿本体７の水平方向の中心線上であれば特定の位置にこだわるものではない。
【００４０】
図２８は、肘当て４Ｂを取り付けた状態の側面寸法図である。請求項４に示すように釣る対象となる魚や釣り方によって肘当てを、肘当てＡにしたり肘当て４Ｂなどに交換することが可能である。点ｂはもとよりＬ７、Ｌ８の寸法及び取り付け角θは前述の肘当て４Ａを取り付けたときと同一である。Ｌ２は、前述のとおりヘチ釣り、あるいは短竿でのいかだ釣り等を考慮して、肘当て４Ｂがじゃまにならず、手首付近に密着するために、３８０ｍｍ前後が好適である。リールシート８は釣る対象となる魚、釣り方により使用するリールもスピ二ング、たいこ型、両軸受け等様々であり、竿の上側にリールをセットする場合もあるため、その取り付け位置、方法は特定の位置、方法にこだわるものではない。
【００４１】
図２９は、前記肘当て４Ｂを取り付けた図２８に対応する上面寸法図である。Ｌ１０の寸法は傾斜角βにもよるが、１０５ｍｍ程が扱い易く好適である。
【図面の簡単な説明】
【００４２】
【図１】本発明の一実施形態に係る釣り竿用保持具の右側面図。
【図２】同釣り竿用保持具の正面図
【図３】同釣り竿用保持具の背面図
【図４】同釣り竿用保持具の上面図。
【図５】同釣り竿用保持具の左側面図。
【図６】同釣り竿用保持具の底面図。
【図７】従来の釣り竿を握った時の手首の状態を示した側面図。
【図８】従来の釣り竿を握った時の手首の状態を示した上面図。
【図９】本発明の一実施形態に係る釣り竿用保持具を握った時の手首の状態を示した側面図。
【図１０】同釣り竿用保持具を握った時の手首の状態を示した上面図。
【図１１】従来の竿本体と糸の関係を示した図。
【図１２】従来の竿本体と糸の関係を示した図。
【図１３】本発明の一実施形態に係る釣り竿用保持具を使用した場合の竿本体と糸の関係を示した図。
【図１４】従来の釣り竿の形状を示した図。
【図１５】本発明の一実施形態に係る釣り竿用保持具の斜視図。
【図１６】同釣り竿用保持具の構成を示す分解斜視図。
【図１７】同釣り竿用保持具の肘当てを交換して装着した状態を示す斜視図。
【図１８】同釣り竿用保持具の肘当ての取り付け角度調整を示す図。
【図１９】同釣り竿用保持具の保持具を一体成形した形態を示す斜視図。
【図２０】同釣り竿用保持具の保持具を一体成形した別の形態を示す斜視図。
【図２１】同釣り竿用保持具の肘当てを除く各部品を一体で成形した形態を示す上面図。
【図２２】同釣り竿用保持具の肘当てを除く各部品を一体で成形した形態を示す側面図。
【図２３】同釣り竿用保持具の上面図。
【図２４】同釣り竿用保持具の側面図。
【図２５】同釣り竿用保持具のＡ−Ａ断面図。
【図２６】同釣り竿用保持具の側面寸法図。
【図２７】同釣り竿用保持具の上面寸法図。
【図２８】同釣り竿用保持具の肘当てを取り付けた側面寸法図。
【図２９】同釣り竿用保持具の肘当て４Ｂを取り付けた上面寸法図。
【符号の説明】
【００４３】
１  保持具基部
２  グリップ
３  連結板                
４Ａ  肘当て
４Ｂ  肘当て
５  グリップ止めネジ
６  肘当て止めネジ
７  竿本体
８  リールシート
９  竿装着部
１０  握り部
１１  取り付けネジ
【図２】
2010041974.tif 000003
【図３】
2010041974.tif 000004
【図４】
2010041974.tif 000005
【図５】
2010041974.tif 000006
【図６】
2010041974.tif 000007
【図７】
2010041974.tif 000008
【図１１】
2010041974.tif 000009
【図１２】
2010041974.tif 000010
【図１３】
2010041974.tif 000011
【図１５】
2010041974.tif 000012
【図１７】
2010041974.tif 000013
【図２０】
2010041974.tif 000014
【図２１】
2010041974.tif 000015
【図２２】
2010041974.tif 000016
【図１】
2010041974.tif 000017
【図８】
2010041974.tif 000018
【図９】
2010041974.tif 000019
【図１０】
2010041974.tif 000020
【図１４】
2010041974.tif 000021
【図１６】
2010041974.tif 000022
【図１８】
2010041974.tif 000023
【図１９】
2010041974.tif 000024
【図２３】
2010041974.tif 000025
【図２４】
2010041974.tif 000026
【図２５】
2010041974.tif 000027
【図２６】
2010041974.tif 000028
【図２７】
2010041974.tif 000029
【図２８】
2010041974.tif 000030
【図２９】
2010041974.tif 000031